(57)【要約】本発明は、耐久性を向上させるとともに、オーディオスピーカーの全面に信号強度の減衰なしで信号電流を伝達するのに適したフィルム型オーディオスピーカーの接点構造である。本発明は、圧電フィルム３を表面改質し、前記圧電フィルム３上に伝導性高分子層４をコートして得られる圧電フィルムユニット２と、前記圧電フィルムユニット２に電気的に接続される一つまたは複数の端子部６とを含むフィルム型オーディオスピーカーにおいて、前記圧電フィルムユニット２の周部にコートされ、前記伝導性高分子層４より相対的に優れた伝導性を持つ金属伝導層１２を含み、前記端子部６は前記金属伝導層１２に密接に接触するように構成されたことを特徴とする、フィルム型オーディオスピーカーの接点構造を提供する。
2009506621.tif 000002
【特許請求の範囲】
【請求項１】
圧電フィルムを表面改質し、前記圧電フィルム上に伝導性高分子層をコートして得られる圧電フィルムユニットと、前記圧電フィルムユニットに電気的に接続される一つまたは複数の端子部とを含むフィルム型オーディオスピーカーにおいて、前記圧電フィルムユニットの周部に沿ってコートされ、前記伝導性高分子層より相対的に優れた伝導性を持つ金属伝導層を含み、前記端子部は前記金属伝導層に密接に接触するように構成されたことを特徴とする、フィルム型オーディオスピーカーの接点構造。
【請求項２】
前記金属伝導層は、前記圧電フィルムユニットの周部から前記圧電フィルムユニットの内部に向かって延長される内向き延長部を介して圧電フィルムユニットの内部まで浸透したことを特徴とする、請求項１に記載のフィルム型オーディオスピーカーの接点構造。
【請求項３】
前記金属伝導層は銀でコートされていることを特徴とする、請求項１または２に記載のフィルム型オーディオスピーカーの接点構造。
【発明の詳細な説明】
【技術分野】
【０００１】
本発明は、フィルム型オーディオスピーカーの接点構造に係り、さらに詳しくは、耐久性を向上させるとともに、オーディオスピーカーの全面に信号強度の減衰なしで信号電流を伝達するのに適した新しい構造のフィルム型オーディオスピーカーの接点構造に関する。
【背景技術】
【０００２】
従来の音響機器用オーディオスピーカーは、振動板が設けられたコーンとエンクロージャ(enclosure)とを備えたコーンオーディオスピーカーが主種であったが、近年では、薄くて軽いフィルム型オーディオスピーカーが開発されている。このようなフィルム型オーディオスピーカーは、所定の圧電フィルム(piezo film)にイオンまたは高周波プラズマガスを用いて表面改質した後、伝導性物質をコートしてオーディオ信号を印加すると、圧電フィルムが振動して音を発するようにしたものである。このようなフィルム型オーディオスピーカーにオーディオ信号を印加するためには、圧電フィルムユニットの一側に接点端子が備えられる。
【発明の開示】
【発明が解決しようとする課題】
【０００３】
現在、このようなフィルム型オーディオスピーカー用圧電フィルムの表面にコートされる伝導性物質は、音質や音圧などの振動特性に相対的に優れた伝導性高分子を使用するが、この伝導性高分子は、金属材料からなる伝導層に比べて相対的に伝導性が小さい。そして、このような圧電フィルムの伝導性高分子層に信号電流を印加するために、圧電フィルムの伝導性高分子層の一側に銅テープを付着させ、この銅テープに電線を接続されている。ところが、フィルム型オーディオスピーカーを構成する圧電フィルムユニット自体が振動するにつれて、この伝導性高分子層に付着している銅テープが十分な密着状態を維持せず、部分的に脱落しながら接点が損傷してしまい、接点部位で断線し、或いは断線ではないが十分な信号伝達がなされない。その結果、フィルム型オーディオスピーカーの音が発生しないか或いは微弱になるという問題点があった。
【０００４】
また、従来のフィルム型オーディオスピーカーは、圧電フィルムユニットの一側の周りにのみ接点が形成されるので、接点から相対的に遠く離れている圧電フィルムユニットの内部または対向側では、相対的に電気抵抗の大きい伝導性高分子層を介して信号が伝達される過程でオーディオ信号が大幅減衰し、圧電フィルムユニットの全面に均一且つ十分な音量を発生させないという問題点があった。
【課題を解決するための手段】
【０００５】
本発明は、前述したような従来のフィルム型オーディオスピーカーの問題点に着目して提案されたもので、その目的は、フィルムの振動に対して耐久性を維持しながらも、フィルムの全面に信号電流が良好に伝達されて音が減衰することなく十分な音量が発生する新しい構造のフィルム型オーディオスピーカーの接点構造を提供することにある。
【０００６】
上記目的を達成するために、本発明は、圧電フィルム３を表面改質し、前記圧電フィルム３上に伝導性高分子層４をコートして得られる圧電フィルムユニット２と、前記圧電フィルムユニット２に電気的に接続される一つまたは複数の端子部６とを含むフィルム型オーディオスピーカーにおいて、前記圧電フィルムユニット２の周部に沿ってコートされ、前記伝導性高分子層４より相対的に優れた伝導性を持つ金属伝導層１２を含み、前記端子部６は前記金属伝導層１２に密接に接触するように構成されたことを特徴とする、フィルム型オーディオスピーカーの接点構造を提供する。
【０００７】
本発明の他の特徴によれば、前記金属伝導層１２は、前記圧電フィルムユニット２の周部から圧電フィルムユニット２の内部に向かって延長される内向き延長部１４を介して圧電フィルムユニット２の内部まで浸透したことを特徴とする、フィルム型オーディオスピーカーの接点構造を提供する。
本発明の別の特徴によれば、前記金属伝導層１２は銀でコートされていることを特徴とする。
【発明の効果】
【０００８】
上述したように、本発明によれば、伝導性高分子層がコートされた圧電フィルムユニットの周部に、相対的に優れた伝導性を持つ金属伝導層をコートすることにより、信号電流が金属伝導層を介して圧電フィルムユニットの全面に減衰なく円滑に伝達されるので、豊富な音量を持つフィルム型オーディオスピーカーを得ることができる。
【０００９】
また、このような金属伝導層は、圧電フィルムユニットに密着するようにコートされるので、従来の銅テープを付着させた接点構造に比べて、圧電フィルムユニットの振動にも拘らず接点の損傷または脱落が防止されて耐久性が増大する。
【００１０】
しかも、前記金属伝導層が内向き延長部を介して圧電フィルムユニットの内部に延長されるので、圧電フィルムユニットの全面にわたって電気抵抗を一層最小化させながら信号を伝達することができる。よって、より豊富なスピーカー音量を得ることができる。
【図面の簡単な説明】
【００１１】
本発明の前記および他の目的および利点は、添付図面を参照してその好適な実施例をより詳細に説明することによりさらに明白になるであろう。
【図１】本発明の一実施例に係るフィルム型オーディオスピーカーの接点構造を示す正面図である。
【図２】図１の断面図である。
【図３】本発明の他の実施例に係るフィルム型オーディオスピーカーの接点構造を示す正面図である。
【発明を実施するための最良の形態】
【００１２】
以下、添付図面を参照して本発明の好適な実施例に係るフィルム型オーディオスピーカーの接点構造について詳細に説明する。
【００１３】
図１および図２を参照すると、圧電フィルム３にイオンまたは高周波プラズマを用いて親水性を持つように表面改質し、この圧電フィルムに伝導性高分子層４をコートして圧電フィルムユニット２を得る。この圧電フィルムユニット２は、電気を加えると機械的な振動を発生し、逆に機械的な変形を加えると起電力を発生する圧電性質を持つため、オーディオ信号を前記圧電フィルムユニット２に印加すると、圧電フィルムが振動して音を発生する。
【００１４】
また、前記伝導性高分子層４でコートされた圧電フィルムユニット２の周部には、前記伝導性高分子層４より電気伝導性に優れた金属伝導層１２がコートされる。好ましくは、前記金属伝導層１２の材料としては、優れた伝導特性を発揮しながらも相対的に安価な銀（Ａｇ）が用いられる。
【００１５】
この金属伝導層１２がコートされた圧電フィルムユニット２の一側には、金属伝導層１２と密接に接触するリング型ターミナルまたはリペット型接続端子６が付着または結合する。また、接点の電気的ショートを防ぐために、絶縁体としてのポリエステルまたはその他の素材からなる補強タップ１８を圧電フィルムの下の各接続端子に設けることができる。
【００１６】
このように伝導性高分子層４の周部に沿って、伝導性に優れた金属伝導層１２をコートし、この金属伝導層１２に接続端子６を接続することにより、圧電フィルムユニット２の全面の周部から信号電流が印加できるため、相対的に電気抵抗の大きい伝導性高分子層４を介して信号が伝達される場合、接続端子６から遠い部位のフィルム型オーディオスピーカーの信号が大幅減衰または弱化することを防止することができる。しかも、接点を成す金属伝導層１２が圧電フィルムユニット２に密着するようにコートされるので、圧電フィルムユニット２の振動による接点の損傷または脱落が防止されてフィルム型オーディオスピーカーの耐久性が増大する。
【００１７】
図３は本発明の他の実施例に係るフィルム型オーディオスピーカーの接点構造を示す正面図である。図３を参照すると、圧電フィルムユニット２の周部にコートされた金属伝導層１２が圧電フィルムユニット２の内部に向かって所定のパターンを成しながら延長され、その結果、内向き延長部１４が構成される。このように内向き延長部１４を介して金属伝導層１２が圧電フィルムユニット２の内部に延長されて浸透することにより、信号電流の減衰がさらに減少して信号が圧電フィルムユニット２の全面に円滑に伝達されるので、フィルムスピーカーの音がさらに豊富に発生しうる。図示された実施例において、内向き延長部１４がジグザグ状に延長されるが、その他にも多様なパターンで構成できる。延長される深さも、適切な音量の確保に必要な程度で圧電フィルムユニット２の内部の適切な深さまで延長できる。
【図１】
2009506621.tif 000003
【図２】
2009506621.tif 000004
【図３】
2009506621.tif 000005
【国際調査報告】
2009506621.tif 000006